【事件の表示】
　特願２００３−２７２４１１「給紙カセットを備えた装置における給紙後の用紙タイプ設定方法，記録媒体，画像形成装置」拒絶査定不服審判事件〔平成１６年　２月　５日出願公開、特開２００４−　３４７１１〕について、次のとおり審決する。
【結　論】
　本件審判の請求は、成り立たない。
【理　由】
１　手続の経緯・本願発明
（１）手続の経緯
　本願は、平成１５年７月９日（パリ条約による優先権主張２００２年７月９日、韓国）の出願であって、平成１９年８月１５日付けで手続補正がなされ、平成２０年２月２６日付けで拒絶査定がなされ、これに対して、同年６月２日に拒絶査定不服審判が請求されるとともに、同年７月２日付けで手続補正がなされたものである。
　
（２）本願発明
　本願の請求項１に係る発明は、平成２０年７月２日付け手続補正によって補正された特許請求の範囲の請求項１に記載された事項によって特定されるものであるところ、その明細書及び図面の記載からみて、「前記用紙タイプ設定対象カセットについて用紙タイプ設定メニュー」及び「前記表示部表示して，」は、それぞれ「前記用紙タイプ設定対象カセットについて
の
に
　
「１つ以上の給紙カセットを備えた装置の用紙タイプ設定方法において，
　前記給紙カセットの開閉状態と前記給紙カセットの用紙有無とから用紙タイプ設定対象カセットを決定する第１段階と，
　前記装置に設けられた表示部に前記用紙タイプ設定対象カセットについての用紙タイプ設定メニューを表示するか否かを判断する第２段階と，
　前記第２段階における判断の結果，前記用紙タイプ設定対象カセットについての用紙タイプ設定メニューを前記表示部に表示して，表示された前記用紙タイプ設定メニューにて前記用紙タイプ設定対象カセットに装着された用紙タイプを設定する第３段階と，を有し，
　前記第１段階はさらに，
　前記給紙カセットの開状態を感知する第１１段階と，
　開いた給紙カセットの閉状態を感知する第１２段階と，
　前記第１１段階と第１２段階とに基づいて順次開状態と閉状態とが感知された給紙カセットのうちの用紙が装着されている給紙カセットを用紙タイプ設定対象に決定する第１３段階と，
　を有することを特徴とする給紙カセットを備えた装置における給紙後の用紙タイプ設定方法。」（以下「本願発明」という。）
　
２　刊行物の記載事項
（１）原査定の拒絶の理由に引用された「本願の優先日前に頒布された刊行物である実願昭６０−１４６７２０号（実開昭６２−５６５４２号）のマイクロフィルム（以下「引用例１」という。）」には、図とともに次の事項が記載されている。（下線は審決で付した。また、丸付数字は便宜上［丸１］などと表記した。）
　ア　「「産業上の利用分野」
　本考案は、複写装置本体に装着された２台以上の給紙用トレイの選択機能を改良した複写装置に関する。
「従来の技術」
（従来の複写装置）
　第７図に従来よく知られている
複写装置
　この装置は、
原稿１１をプラテンガラス１２の上に載せて、プラテンカバー１３を閉めた後、コントロールパネル１４上のプリントスタートボタンを押すと、コピーが排出トレイ１５に排出される構造のものである。この装置には、オペレータが原稿１１のサイズに応じて適切な複写用紙を選ぶことのできるように、例えば３台のトレイ１６
１
〜１６
３
が設けられている
　各トレイ１６には、例えばＡ４、Ｂ５、Ｂ４というように数種の複写用紙が収容される。通常、各トレイ１６は
特定の大きさの複写用紙しか収容できない構造になっている
トレイをどこに装着しても、複写装置本体において、どの種類の複写用紙がどこのトレイに収容されているかを容易に判別できる。従って、オペレータがトレイの選択を行うと同時に、その複写用紙のサイズも表示される
「考案が解決しようとする問題点」
（複写ミスの発生）
　このように、用紙の種類あるいはトレイの選択をキー操作一つで自由に行うことのできる複写装置は、多種多様の複写要求に対して動作が簡単に切り換えられる利点を有している。
　ところが、オペレータが、そのキー操作を誤った場合には、不要なコピーをとってしまうことがある。
　例えば、原稿サイズに対応する複写用紙サイズの選定を誤った場合、あるいはオペレータが期待していたトレイ以外のトレイから複写用紙が供給されてしまった場合等である。
　前者の場合、特に、拡大縮小コピーの操作における複写用紙のサイズの選定の誤り等は最もよく生じるミスである。
　また後者の場合、例えば必要な複写用紙をトレイに収容して複写装置に装着した後に、そのトレイの選択の確認を忘れてプリントスタートボタンを押したような場合がある。
　また、あらかじめ一定の書式等が印刷された複写用紙をトレイに収容して複写装置本体に装着した場合であって、他にも同一サイズの通常の複写用紙を収容したトレイが装着されていたような場合、コントロールパネルに表示された複写用紙サイズを見て、そのままトレイの選択の確認をせずすぐにプリントスタートボタンを押してしまうことがある。こうした操作ミスがあると、無駄な複写による経済的な損失ばかりでなく、オペレータが複写に必要以上の時間を費やしてしまい、たび重なればその影響は無視することができない。
　従って、複写装置は、できるだけ操作ミスを生じないような機能を有することが望ましい。
　本考案は以上の点に着目してなされたもので、より合理的なトレイの選択機能を付加した複写装置を提供することを目的とするものである。
「問題点を解決するための手段」
　本考案の複写装置は、複写用紙を収容しこれを供給するために装着される２台以上のトレイと、
各トレイの装着状態を検知するトレイ検出手段と、このトレイ検出手段の出力信号を監視して、トレイが抜かれてこれが再び装着されたとき、そのトレイから複写用紙が供給されるよう選択を行う制御手段
「作用」
　このように、本考案の複写装置は、
直前に抜き差しを行ったトレイが自動的に選択されるよう動作する。従ってオペレータが必要なトレイを複写装置本体に装着した場合、ただちに自動的にそのトレイが選択され、スタートボタン押す前にトレイ選択の確認あるいは切り換えを行う必要が無い
　
　イ　「「実施例」
（ブロックの説明）
　第１図は本考案の複写装置の実施例を示すブロック図である。
　この装置には、３台のトレイ１６１〜１６３を装着することができる。各トレイの装着部には、これを差し込むとオフし、抜くとオンする検知スイッチＳＷ１〜ＳＷ３が設けられている。この検知スイッチを本考案において、トレイの装着状態の検知手段と呼んでいる。図の例では“トレイ２”と“トレイ３”のスイッチＳＷ２、ＳＷ３（審決注：「ＳＷ１、ＳＷ２」は「ＳＷ２、ＳＷ３」の明らかな誤記であるので訂正して摘記した。）はオフとなり、“トレイ１”のスイッチＳＷ１はオンとなっている。これらのスイッチの一端はいずれも接地され、他端はＣＰＵモジュール６２に接続されている。
　このＣＰＵモジュール６２は、装置各部の動作を制御するものであるが、ここではトレイの選択に関する回路部分のみを図示した。その出力側には、ドライバ６３を介して３つの表示ランプ６４と、３台のクラッチ６６とが接続されている。また、ここでは図示していないコントロールパネルに設けられたトレイ選択キー６７からの選択信号が入力するよう結線されている。
　第２図はこの装置の縦断面図である。
　この複写装置には、３つのトレイ１６１〜１６３が右側と左側とに装着されており、各トレイの前方にはそれぞれ給紙ローラ１７１〜１７３が設けられている。例えば“トレイ１”が選択されている場合には、給紙ローラ１７１のみが回転し、複写用紙が引き出される。その後複写用紙はレジストローラ１８によって感光ドラム１９の直下に送り込まれる。その後、転写処理、現像処理を経て排出トレイ１５に排出される。
　他のトレイについても同様で、これらから引き出された複写用紙はそれぞれ図示しないガイド等によって破線の矢印のようにレジストローラ１８まで引き出されるようになっている。
　第３図には、そのコントロールパネルの一部を図示した。トレイ選択キー６７の横に、選択されたトレイを表示する表示ランプ６４が３個並んで取り付けられている。
（ＣＰＵモジュールとその動作）
　この装置の制御用として使用されるＣＰＵモジュールは、第４図に示すように、共通バスライン６２１に接続された入力インターフェース（Ｉ／Ｆ）６２２と、出力インターフェース６２３と、マイクロプロセッサ（ＣＰＵ）６２４とリード・オンリ・メモリ（ＲＯＭ）素子６２５と、ランダム・アクセス・メモリ（ＲＡＭ）素子６２６とが１つのチップに組み込まれた構成の回路である。このＲＯＭ素子６２５に本装置の動作に必要なプログラムを書き込んでおけば、センサ等からの信号を入力Ｉ／Ｆ６２２を介して受け入れて、その内容を判断し演算して、必要な出力信号を出力Ｉ／Ｆ６２３から出力する。
　第１図の回路において、ＣＰＵモジュール６２はオペレータがトレイ選択キー６７により所望のトレイを選択すると、その選択されたトレイを示す表示ランプ６４のみを点灯させる。この選択キー６７は簡単なオンオフスイッチで、これを１回押すごとに次のトレイに選択が切り換えられる。
　例えば
トレイ１が選択された場合には、
トレイ１の複写用紙を引き出す
　また、クラッチ６６はトレイから複写用紙を引き出すための給紙ローラの駆動軸に取り付けられたものである。保護回路６５はスイッチオン時のサージ吸収用として設けられている。各クラッチ６６はドライバ６３がオンすると給紙ローラの回転を開始させるよう作動する。
（トレイの選択）
　次に、本考案の複写装置の主要な動作を第５図のフローチャートを用いて説明する。
　この動作のためのプログラムはＣＰＵモジュール内のＲＯＭに格納される。このＣＰＵモジュールを本考案において、トレイの選択の制御手段と呼んでいる
　図のフローチャートにおいて、まず、動作の開始にあたって本考案の自動選択を行うモードか否かの判断がなされる（ステップ［丸１］）。例えば図示しないコントロールパネルの、モード切り換えキーを用いて指示を行うことによって、このいずれかをあらかじめ設定しておく。
　次に、トレイ検出手段の出力信号を読んで、いずれかのトレイの検知スイッチがオンになっているか否かを監視する（ステップ［丸２］）。例えばトレイ１が抜かれると、トレイ１の検知スイッチがオンするので、これが０．６秒間継続するか否かを判断する（ステップ［丸２］［丸３］［丸４］）。きわめて短時間オンとなったような場合は、これを無視する。これはいわゆるチャタリングの防止のための処理である。トレイ１が確実に抜かれたことを検知すると（ステップ［丸４］）、オンされたスイッチの番号例えば“１”を一時メモリに格納する。そして、再びトレイが装着されるのを監視する。単にトレイ１だけが抜けているような場合、他のトレイが装着されているので、それまで実行されていた処理はそのまま続行される。例えばトレイ３が選択されていればそのままトレイ３の複写用紙を使用して複写が行われる。
　ここで、トレイ１が再び装着されると、スイッチ１がオフになる（ステップ［丸６］）。そのとき、ＣＰＵモジュールは、上記一時メモリ内に格納されたスイッチ１の番号と、いま装着されたトレイの番号とを照合してそのトレイの選択を行うよう切り換えを行う。例えば、今までトレイ３が選択されていた場合これを取消して、トレイ１を選択する処理を行う。また、例えば２台以上のトレイが抜かれていた場合、一時メモリにはその２台分以上のスイッチの番号が記憶される。その後いずれか１台のトレイが装着されるとそのトレイの番号が選択される。そして、さらに他のトレイが装着されるとそのトレイを選択するように選択が切り換えられる。このように、この自動選択モードの場合、常に最後に装着されたトレイが選択される。もちろん、その後トレイ選択キーを押してオペレータがトレイの選択を自由に切り換えることもできる。
　また、例えばすぐに使用しないトレイに複写用紙を供給する作業を行った場合や紙詰まりの除去のために他のトレイの抜き差しを行った場合、あるいは、原稿の大きさを自動的に検知して適切な大きさの用紙を選択するような動作を行う場合、上記自動選択モードの実行はかえって不都合となる。
　そこで、この実施例ではモードの切り換えを行うことができるようにされている。これは例えば、トレイ選択キーと全く同様に、切り換え専用のキーあるいはその代用となる割込キー等を１回押すごとに他方のモードに切り換わるようにプログラム設定すればよい。」（５頁１１行〜１２頁４行）
　
　ウ　「「変形例」
　本考案の複写装置は以上の実施例に限定されない。
　トレイ検出手段は、トレイの抜き差しを検知するものであればどのような構成のものでもよい。また、上記トレイ検知用のスイッチは、
用紙の有無を検知するためのスイッチ（ノーペーパースイッチ）と兼用され
（ノーペーパースイッチ）
　ノーペーパースイッチは第６図に示すように、例えば、
導電性のアーム３１と導電性の底板３２とから構成されている。まず、トレイが無いとき（同図ａ）は、アーム３１が底板３２と接触してオン状態となり、アーム３１の軸受け部からＣＰＵモジュールに検知信号が送られる。また、複写用紙を収容したトレイ１６が挿入されると（同図ｂ）、アーム６と底板３２との間に絶縁性の複写用紙が差し込まれ、両者が切り離されてオフ状態となる。そしてこの複写用紙が無くなると再びアーム３１がトレイ１６を介して底板３２と接触しオン状態となる
　このようなスイッチをトレイ検出手段に使用すればセンサの数の節約をすることもできる。」（１２頁５行〜１３頁７行）
　
　エ　「「考案の効果」
　以上説明した本考案の複写装置は、オペレータがトレイの抜き差しを行ったとき、直前に装着されたトレイが自動的に選択されるので、あらためてトレイの選択を行う操作が不要となり操作ミスの減少を図ることができる。」（１３頁８〜１３行）
　
　オ　第３図の記載から、トレイ選択キー６７及び
選択されたトレイを示す表示ランプ６４がコントロールパネル１４上に設けられている
複写用紙のサイズも表示（上記ア参照。）する表示手段はコントロールパネル１４に設けられている
　
　カ　上記アないしオからみて、引用例１には、
「原稿をプラテンガラスの上に載せて、プラテンカバーを閉めた後、コントロールパネル上のプリントスタートボタンを押すと、コピーが排出トレイに排出される構造の複写装置であって、オペレータが原稿のサイズに応じて適切な複写用紙を選ぶことのできるように、特定の大きさの複写用紙しか収容できない構造になっている３台のトレイが設けられ、トレイをどこに装着しても、複写装置本体において、どの種類の複写用紙がどこのトレイに収容されているかを容易に判別でき、オペレータがトレイの選択を行うと同時に、その複写用紙のサイズもコントロールパネルの表示手段に表示されるようになっている複写装置のトレイ自動選択方法において、
　オペレータが必要なトレイを複写装置本体に装着した場合、ただちに自動的にそのトレイを選択し、オペレータがスタートボタンを押す前にトレイ選択の確認あるいは切り換えを行う必要が無いようにするため、
　複写装置本体に、各トレイの装着状態を検知するトレイ検出手段と、このトレイ検出手段の出力信号を監視して、トレイが抜かれてこれが再び装着されたとき、そのトレイから複写用紙が供給されるよう選択を行う制御手段とを備え、かつ、前記トレイ検出手段を、導電性のアームと導電性の底板とから構成し、用紙の有無を検知するためのノーペーパースイッチと兼用して、トレイが無いときは、前記アームが前記底板と接触してオン状態となり、複写用紙を収容したトレイが挿入されると、前記アームと前記底板との間に絶縁性の複写用紙が差し込まれ、両者が切り離されてオフ状態となり、そしてこの複写用紙が無くなると再び前記アームがトレイを介して前記底板と接触しオン状態となるものとし、
　直前に抜き差しを行ったトレイを自動的に選択し、オペレータがスタートボタンを押すと、該選択されたトレイの複写用紙を引き出すよう動作する複写装置のトレイ自動選択方法。」の発明（以下「引用発明１」という。）が記載されているものと認められる。
　
（２）原査定の拒絶の理由に引用された「本願の優先日前に頒布された刊行物である特開昭６３−２３３６５５号公報（以下「引用例２」という。）」には、図とともに次の事項が記載されている。
　ア　「（１）
装置の状態を診断する手段と
　
上記診断手段により診断された状態の優先度を判定する手段と
　
上記診断された状態を表示する手段と
　
上記判定手段により装置に同時に発生している複数の状態の優先度を判定して、優先度の高い状態を表示させる制御手段とを有する
診断表示装置
　
　イ　「本発明は装置の状態を診断して表示する装置に関するものである。」（１頁左下欄１８〜１９行）
　
　ウ　「本発明は上記の点に鑑みなされたものであり、装置の状態を診断する手段と、上記診断手段により診断された状態の優先度を判定する手段と、上記診断された状態を表示する手段と、上記判定手段により装置に同時に発生している複数の状態の優先度を判定して、優先度の高い状態を表示させる制御手段とを有する
ことにより、その時点で最も重要な状態を知ることができるように
　
　エ　「２６は
オペレーションパネル
表示部及びキー入力部を有する
　
　オ　「第５図（１）はＧ３受信とＧ４受信を同時に行っている時の表示部３０の様子を示す。例えば、
記録紙がつまるなどの内部障害状態を優先度１
状態の表示を優先度３とし、
記録紙がつまるという障害状態が起こると、（２）のように優先度３の表示を消去して優先度１の表示を優先的に行
　また、第６図は本装置の断面図であり、給紙部６−１，分離搬送部６−２，定着排紙部６−３のそれぞれに紙検出器があり、公知の紙詰まり検出方法により紙詰まりを検出する。
　尚、本実施例では表示部３０に２つの状態を表示しているが、表示部のサイズに応じて、表示個数を変えれば良い。例えば、３つの状態が表示可能な場合、優先度３の状態が２つ表示されているときに、優先度１の状態が２つ発生したとき、優先度１の状態を２つ表示し、優先度３の状態のうち、先に発生した方を表示すれば良い。」（３頁左上欄８行〜同頁右上欄５行）
　
　カ　「上記実施例ではファクシミリ装置を基に説明したが、
複写機
にも適用できる
　
　キ　「以上説明したように、本発明によれば装置の状態を診断し、発生した状態の優先順位を判定することにより極めて簡単な構成により、
常にその時点での装置の重要な状態を表示することができ、装置を有効に使用できる
　
　ク　上記アないしキから、引用例２には、
「複写機に適用できる診断表示装置であって、装置の状態を診断する手段と、上記診断手段により診断された状態の優先度を判定する手段と、上記診断された状態を表示する表示部及びキー入力部を有するオペレーションパネルと、上記判定手段により装置に同時に発生している複数の状態の優先度を判定して、優先度の高い状態を前記表示部に表示させる制御手段とを有し、
　記録紙がつまるなどの内部障害状態を優先度１、装置の動作状態の表示を優先度３とすることにより、記録紙がつまるという障害状態が起こると、優先度３の表示を消去して優先度１の表示を優先的に行って、その時点で最も重要な複写機の状態を知ることができるようにし、常にその時点での装置の重要な状態を表示することができ、装置を有効に使用できるようにした診断表示装置。」の発明（以下「引用発明２」という。）が記載されているものと認められる。
　
３　対比
　本願発明と引用発明１とを対比する。
（１）引用発明１の「『トレイ１ないしトレイ３が設けられ』た『複写装置』」、「トレイ」、「方法」、「トレイ自動選択」、「各トレイの装着状態」、「用紙の有無」、「トレイが無いときは、前記アームが前記底板と接触してオン状態とな（る）」、「複写用紙を収容したトレイが挿入されると、前記アームと前記底板との間に絶縁性の複写用紙が差し込まれ、両者が切り離されてオフ状態とな（る）」及び「『挿入され』た、『複写用紙を収容』している『トレイ』」は、それぞれ、本願発明の「１つ以上の給紙カセットを備えた装置」、「給紙カセット」、「方法」、「カセットを決定する」、「給紙カセットの開閉状態」、「給紙カセットの用紙有無」、「給紙カセットの開状態を感知する」、「開いた給紙カセットの閉状態を感知する」及び「用紙が装着されている給紙カセット」に相当する。
　
（２）引用発明１の「『導電性のアームと導電性の底板とから構成し、用紙の有無を検知するためのノーペーパースイッチと兼用して、トレイが無いときは、前記アームが前記底板と接触してオン状態となり、複写用紙を収容したトレイが挿入されると、前記アームと前記底板との間に絶縁性の複写用紙が差し込まれ、両者が切り離されてオフ状態となり、そしてこの複写用紙が無くなると再び前記アームがトレイを介して前記底板と接触しオン状態となるもの』である『各トレイの装着状態を検知するトレイ検出手段』の出力信号を監視して、トレイが抜かれてこれが再び装着されたとき、そのトレイから複写用紙が供給されるよう選択を行う『制御手段』を備え、オペレータが必要なトレイを複写装置本体に装着した場合、ただちに自動的にそのトレイを選択する」事項と、本願発明の「前記給紙カセットの開閉状態と前記給紙カセットの用紙有無とから用紙タイプ設定対象カセットを決定する第１段階」とは、「前記給紙カセットの開閉状態と前記給紙カセットの用紙有無とから対象カセットを決定する段階」である点で一致する。
　
（３）引用発明１の「トレイが無いときは、前記アームが前記底板と接触してオン状態とな」る点が本願発明の「給紙カセットの開状態を感知する」点に相当するから、上記（２）に照らせば、引用発明１「カセットを決定する段階」と本願発明の「第１段階」とは、「前記給紙カセットの開状態を感知する第１１段階を有する」点で一致する。
　
（４）引用発明１の「複写用紙を収容したトレイが挿入されると、前記アームと前記底板との間に絶縁性の複写用紙が差し込まれ、両者が切り離されてオフ状態とな」る点が本願発明の「開いた給紙カセットの閉状態を感知する」点に相当するから、上記（２）に照らせば、引用発明１「カセットを決定する段階」と本願発明の「第１段階」とは、「開いた給紙カセットの閉状態を感知する第１２段階を有する」点で一致する。
　
（５）引用発明１の「前記給紙カセットの開閉状態と前記給紙カセットの用紙有無とからカセットを決定する段階」は、「『トレイが無いときは、前記アームが前記底板と接触してオン状態となり』、『複写用紙を収容したトレイが挿入されると、前記アームと前記底板との間に絶縁性の複写用紙が差し込まれ、両者が切り離されてオフ状態とな』る『各トレイの装着状態を検知するトレイ検出手段』の出力信号を監視して、トレイが抜かれてこれが再び装着されたとき、そのトレイから複写用紙が供給されるよう選択を行う『制御手段』を備え、オペレータが必要なトレイを複写装置本体に装着した場合、ただちに自動的にそのトレイを選択する」ものであるから、本願発明の「前記第１１段階と第１２段階とに基づいて順次開状態と閉状態とが感知された給紙カセットのうちの用紙が装着されている給紙カセットを用紙タイプ設定対象に決定する第１３段階」を有する「第１段階」と、「前記第１１段階と第１２段階とに基づいて順次開状態と閉状態とが感知された給紙カセットのうちの用紙が装着されている給紙カセットを対象に決定する段階を有する」点で一致する。
　
（６）引用発明１の「方法」は、「直前に抜き差しを行ったトレイを自動的に選択するよう動作する複写装置のトレイ自動選択方法」であるから、本願発明の「給紙後の用紙タイプ設定方法」と、「給紙後の方法」である点で一致する。
　
（７）引用発明１の「コントロールパネルの表示手段」は、本願発明の「前記装置に設けられた表示部」に相当する。
　
（８）本願明細書の発明の詳細な説明の【０００２】には「用紙タイプ（例えばＡ４用紙，Ｂ５用紙等用紙の大きさや，普通紙，ＯＨＰ用紙等用紙の種類などの用紙タイプ）」と記載されているから、引用発明１の「複写用紙のサイズ」は本願発明の「用紙タイプ」に相当するといえる。そうすると、引用発明１の「オペレータがトレイの選択を行うと同時に、その複写用紙のサイズもコントロールパネルの表示手段に表示される」点と本願発明の「用紙タイプ設定対象カセットについての用紙タイプ設定メニューを前記表示部に表示」する点とは、「対象カセットについての用紙タイプに関する情報を前記表示部に表示」する点で一致するといえる。
　
（９）上記（１）ないし（８）からみて、本願発明と引用発明１とは、
「１つ以上の給紙カセットを備えた装置のカセット決定方法において，
　前記給紙カセットの開閉状態と前記給紙カセットの用紙有無とから対象カセットを決定する段階と，
　対象カセットについての用紙タイプに関する情報を前記装置に設けられた表示部に表示する段階と，を有し，
　前記対象カセットを決定する段階はさらに，
　前記給紙カセットの開状態を感知する第１１段階と，
　開いた給紙カセットの閉状態を感知する第１２段階と，
　前記第１１段階と第１２段階とに基づいて順次開状態と閉状態とが感知された給紙カセットのうちの用紙が装着されている給紙カセットを対象に決定する段階と，
　を有する給紙カセットを備えた装置の給紙後の対象カセット決定方法。」である点で一致し、次の点で相違する。
　
相違点１：
　本願発明では、前記「方法」が「用紙タイプ設定方法」であり、前記「対象」が「用紙タイプ設定」の対象であり、前記「対象カセットを決定する段階」が「用紙タイプ設定対象カセットを決定する第１段階」であり、前記「用紙タイプに関する情報」が「用紙タイプ設定メニュー」であって、前記「表示する段階」は、前記「用紙タイプ設定メニュー」にて前記対象カセットに装着された「用紙タイプを設定する」ことも含む「第３段階」であるのに対して、引用発明１では、前記「方法」が「トレイ自動選択方法」であり、前記「対象」が「複写用紙を引き出す」対象であり、前記「対象カセットを決定する段階」が「複写用紙を引き出すトレイを自動的に選択する」段階であり、前記「用紙タイプに関する情報」が「用紙タイプ（複写用紙のサイズ）」であって、前記「トレイ自動選択方法」では、「カセット（トレイ）」は、特定の大きさの複写用紙しか収容できない構造になっているから、「用紙タイプ設定メニュー」を表示することもなく、対象「カセット」に装着された複写用紙がどの種類の複写用紙かがそのサイズも含めて容易に判別できるものであって「用紙タイプ」を設定するものではない点。
　
相違点２：
　本願発明では、前記表示部（前記装置に設けられた表示部）に前記対象カセットについての用紙タイプに関する情報を表示するか否かを第２段階で判断し，前記第２段階における判断の結果，前記用紙タイプに関する情報を表示するのに対して、引用発明１では、前記表示部（前記装置に設けられた表示部）に前記対象カセットについての用紙タイプに関する情報を表示するか否かを判断する段階を有していない点。
　
４　判断
　上記相違点１及び２について検討する。
（１）相違点１について
　ア　画像形成装置の操作パネル上から、給紙トレイの用紙サイズ等を入力するようになっている画像形成装置において、表示された用紙サイズ等をトレイに対応付けて（トレイの用紙サイズとして）入力するものは、本願の優先日前に周知である（例．特開平７−２５３７３５号公報（２頁右欄７〜９行、同頁同欄１７〜２８行参照。）、特開２０００−２４２１４１号公報（５頁左欄２０〜４０行参照。））。
　イ　引用発明１の「複写装置」は「特定の大きさの複写用紙しか収容できない構造になっている３台のトレイが設けられ、トレイをどこに装着しても、複写装置本体において、どの種類の複写用紙がどこのトレイに収容されているかを容易に判別でき」るものであるところ、複写装置本体において、そのように、トレイをどこに装着しても、どの種類の複写用紙がどこのトレイに収容されているかを容易に判別できるようにするためには、各トレイにそのトレイに収納する複写用紙サイズを示す何らかの識別手段を設け、該識別手段を検知（認識）するセンサ等の検知手段を複写装置本体に設ける必要があることは当業者に自明である。
　ウ　しかるところ、上記アの周知技術のように、操作パネル上から、給紙トレイの用紙サイズ等を入力するようになっている画像形成装置においては、上記イのセンサ等の検知手段を設ける必要が無いことは当業者に自明の事項である（上記特開平７−２５３７３５号公報の２頁左欄４０行〜同頁右欄２０行の記載及び特開２００２−１９２１２号公報の２頁右欄６〜２３行の記載参照。）。
　エ　上記アないしウからして、引用発明１において、複写装置本体に設ける必要があることが当業者に自明である「トレイに収納する複写用紙サイズを示す何らかの識別手段」及び「該識別手段を検知（認識）するセンサ等の検知手段」を設ける必要を無くすため、引用発明１において、オペレータが必要なトレイを複写装置本体に装着した場合、ただちに自動的にそのトレイを選択し、前記「表示する段階」において、まず、コントロールパネルの表示手段に複写用紙のサイズ等を表示し、該表示されたサイズ等から、前記選択されたトレイに対応付けて複写用紙のサイズ等を選択・入力し、複写用紙のサイズ等の設定を行うものとし、この設定された複写用紙のサイズ等を「複写用紙を引き出す対象カセットについての用紙タイプに関する情報」として表示するようになすことは、当業者が上記アの周知技術に基づいて容易に想到することができた程度のことである。
　オ　上記エにおける「コントロールパネルの表示手段に複写用紙のサイズ等を表示し、該表示されたサイズ等から、前記選択されたトレイに対応付けて複写用紙のサイズ等を選択・入力し、複写用紙のサイズ等の設定を行う」ことは、本願発明の「前記用紙タイプ設定対象カセットについての用紙タイプ設定メニューを前記表示部（前記装置に設けられた表示部）に表示して，表示された前記用紙タイプ設定メニューにて前記用紙タイプ設定対象カセットに装着された用紙タイプを設定する第３段階」に相当し、引用発明１において上記エのように「複写用紙のサイズ等の設定を行う」ようになした方法は「用紙タイプ設定対象カセットを決定する第１段階を有し」た「用紙タイプ設定方法」であるといえるから、上記エからみて、引用発明１において、上記相違点１に係る本願発明の構成となすことは、当業者が上記アの周知技術に基づいて容易に想到することができた程度のことである。
　
（２）相違点２について
　ア　引用例２には「複写機に適用できる診断表示装置であって、装置の状態を診断する手段と、上記診断手段により診断された状態の優先度を判定する手段と、上記診断された状態を表示する表示部及びキー入力部を有するオペレーションパネルと、上記判定手段により装置に同時に発生している複数の状態の優先度を判定して、優先度の高い状態を前記表示部に表示させる制御手段とを有し、
　記録紙がつまるなどの内部障害状態を優先度１、装置の動作状態の表示を優先度３とすることにより、記録紙がつまるという障害状態が起こると、優先度３の表示を消去して優先度１の表示を優先的に行って、その時点で最も重要な複写機の状態を知ることができるようにし、常にその時点での装置の重要な状態を表示することができ、装置を有効に使用できるようにした診断表示装置。」である引用発明２が記載されている（上記２（２）ク参照。）
　
　イ　引用発明１の「１つ以上の給紙カセットを備えた装置」は「複写装置」であるから、「複写機に適用できる診断表示装置」である引用発明２は、引用発明１の「１つ以上の給紙カセットを備えた装置」に適用できるものである。
　
　ウ　上記ア、イ及び上記（１）からみて、装置を有効に使用できるようにするために、引用発明１の「１つ以上の給紙カセットを備えた装置（複写装置）」において、装置の状態を診断する手段と、上記診断手段により診断された状態の優先度を判定する手段とを設け、上記判定手段により装置に同時に発生している複数の状態の優先度を判定して、前記「制御手段」を用いて、優先度の高い状態を前記コントロールパネルの表示手段に表示させるようになし、複写用紙がつまるなどの内部障害状態を優先度１、上記（１）オで述べた「前記用紙タイプ設定対象カセットについての用紙タイプ設定メニュー」の表示を優先度３として、複写用紙がつまるという障害状態が起こると、優先度３の表示を消去して優先度１の表示を優先的に行い、オペレータが必要なトレイを複写装置本体に装着した場合、ただちに自動的にそのトレイを選択しても、上記（１）エで述べたように前記コントロールパネルの表示手段に複写用紙のサイズ等を表示することはせず、その時点で最も重要な複写機の状態を知ることができるようにし、常にその時点での装置の重要な状態を表示するようになすことは、当業者が引用発明２及び上記（１）アの周知技術に基づいて容易に想到することができた程度のことである。
　
　エ　上記ウにおける「判定手段により装置に同時に発生している複数の状態の優先度を判定」することは、本願発明の「前記装置に設けられた表示部に前記用紙タイプ設定対象カセットについての用紙タイプ設定メニューを表示するか否かを判断する第２段階」に相当し、上記ウにおいて「複写用紙がつまるという障害状態」が起こらないと、上記ウにおける「優先度３の表示」を消去することも「優先度１の表示」を優先的に行うこともなく、上記ウにおいて、オペレータが必要なトレイを複写装置本体に装着した場合、ただちに自動的にそのトレイを選択すると、上記（１）エで述べたとおり、まず、コントロールパネルの表示手段に複写用紙のサイズ等を表示することが当業者に自明であるから、上記（１）オで述べた「第３段階」における「前記用紙タイプ設定対象カセットについての用紙タイプ設定メニューを前記表示部（前記装置に設けられた表示部）に表示して，表示された前記用紙タイプ設定メニューにて前記用紙タイプ設定対象カセットに装着された用紙タイプを設定する」ことは上記「第２段階」における判断の結果なされることになる。
　よって、上記ウからみて、引用発明１において、上記相違点２に係る本願発明の構成となすことは、当業者が引用発明２及び上記（１）アの周知技術に基づいて容易に想到することができた程度のことである。
　
（３）効果について
　本願発明の奏する効果は、引用発明１の奏する効果、引用発明２の奏する効果及び上記（１）アの周知技術の奏する効果から当業者が予測できた程度のものである。
　
（４）まとめ
　したがって、本願発明は、当業者が、引用例１に記載された発明、引用例２に記載された発明及び周知技術に基づいて容易に発明をすることができたものである。
　
５　むすび 
　以上のとおり、本願発明は、当業者が、引用例１に記載された発明、引用例２に記載された発明及び周知技術に基づいて容易に発明をすることができたものであるから、特許法第２９条第２項の規定により特許を受けることができない。
　よって、結論のとおり審決する。